(57)【特許請求の範囲】
【請求項１】
天板の下面の左右両側部を、脚杆の上部に枢着して、前記天板を、前記脚杆の上方において水平をなす使用位置と、前記脚杆の後部において起立する折り畳み位置とに回動可能として支持するとともに、前記天板の後端よりやや前方寄りの部分の下方を覆う幕板を、前記天板の回動と連動して、使用位置では前記脚杆の後方に離間し、かつ折り畳み位置では前記天板と脚杆との間に位置して、脚杆に接近するように連係した折り畳みテーブルにおいて、
使用位置における前記天板の後上方を遮る目隠し板を、その上下方向の中間部において前記天板の後端部に枢着し、かつ前記目隠し板が、使用位置では前記脚杆の後方に離間し、折り畳み位置では前記脚杆に接近するように、前記目隠し板の下部を、天板の下方において、前記幕板に連係したことを特徴とする折り畳みテーブル。
【請求項２】
目隠し板の下部を、幕板の後方側部に上下摺動及び回動可能に取り付けた請求項１記載の折り畳みテーブル。
【請求項３】
目隠し板の前面両側部に、上下方向を向くレールを設けるとともに、該レールの上部を、天板の後端部近傍に枢着し、かつ幕板の後面両側部に設けたローラを、前記レールに、上下方向に移動可能として嵌合した請求項２記載の折り畳みテーブル。
【請求項４】
目隠し板のレールの上部に左右方向を向く水平軸を設け、該水平軸を枢動可能に受止する受け部を有する上部支持金具を、天板の後端下面に固着するとともに、後面にローラを備えた側面視逆Ｕ字形の下部支持金具を幕板の上部に嵌合し、該下部支持金具を前記幕板にねじ止めした請求項３記載の折り畳みテーブル。
【請求項５】
既存の幕板付き折り畳みテーブルの天板に上部支持金具を、また幕板に下部支持金具をそれぞれ後付けし、これら上下部支持金具に、レールを嵌合させることにより目隠し板を回動可能かつ着脱可能に取り付けてなる請求項４記載の折り畳みテーブル。
【発明の詳細な説明】
【０００１】
【発明の属する技術分野】
本発明は、折り畳みテーブル、特に天板の後方に目隠し板を設けた折り畳みテーブルに関する。
【０００２】
【従来の技術】
従来、目隠し板を天板の後上方に設けた折り畳みテーブルとしては、特開平９ー２６６８１９号公報記載のものが知られている。
この折り畳みテーブルでは、天板の後下方を覆う幕板を天板の上方まで延長して目隠し板とし、この目隠し板兼用の幕板を、２個のリンクと旋回継手を介して脚杆に連結して、天板とともに折り畳み可能としている。
【０００３】
【発明が解決しようとする課題】
しかし、このような公知の構造では、目隠し板は幕板と一体であり、折り畳みテーブルを購入する顧客は、購入時に従来の目隠し板なしの幕板付きのものか、目隠し板兼用の幕板付きのものかを選択しなければならない。目隠し板なしの幕板付きの折り畳みテーブルに、あとから目隠し板を取り付けることはできない。また、目隠し板兼用の幕板付きの折り畳みテーブルの目隠し板が邪魔になって取り外すと、幕板もなくなるので不便であり、しかもその取り外しが面倒である。
【０００４】
本発明は、上述の問題点に鑑み、幕板付き折り畳みテーブルにおいて、目隠し板を、折り畳み位置においては、天板の動きに連動して天板と平行に脚杆に接近するように折り畳まれるようにするとともに、簡単に着脱できるようにすることを目的としている。
【０００５】
【課題を解決するための手段】
本発明によると、上記課題は、次のようにして解決される。
（１）天板の下面の左右両側部を、脚杆の上部に枢着して、前記天板を、前記脚杆の上方において水平をなす使用位置と、前記脚杆の後部において起立する折り畳み位置とに回動可能として支持するとともに、前記天板の後端よりやや前方寄りの部分の下方を覆う幕板を、前記天板の回動と連動して、使用位置では前記脚杆の後方に離間し、かつ折り畳み位置では前記天板と脚杆との間に位置して、脚杆に接近するように連係した折り畳みテーブルにおいて、使用位置における前記天板の後上方を遮る目隠し板を、その上下方向の中間部において前記天板の後端部に枢着し、かつ前記目隠し板が、使用位置では前記脚杆の後方に離間し、折り畳み位置では前記脚杆に接近するように、前記目隠し板の下部を、天板の下方において、前記幕板に連係する。
【０００６】
（２）上記(１)項において、目隠し板の下部を、幕板の後方側部に上下摺動及び回動可能に取り付ける。
【０００７】
（３）上記(２)項において、目隠し板の前面両側部に、上下方向を向くレールを設けるとともに、該レールの上部を、天板の後端部近傍に枢着し、かつ幕板の後面両側部に設けたローラを、前記レールに、上下方向に移動可能として嵌合する。
【０００８】
（４）  上記(３)項において、目隠し板のレールの上部に左右方向を向く水平軸を設け、該水平軸を枢動可能に受止する受け部を有する上部支持金具を、天板の後端下面に固着するとともに、後面にローラを備えた側面視逆Ｕ字形の下部支持金具を幕板の上部に嵌合し、該下部支持金具を前記幕板にねじ止めする。
【０００９】
（５）上記(４)項において、既存の幕板付き折り畳みテーブルの天板に上部支持金具を、また幕板に下部支持金具をそれぞれ後付けし、これら上下部支持金具に、レールを嵌合させることにより目隠し板を回動可能かつ着脱可能に取り付ける。
【００１０】
【発明の実施の形態】
図１及び図２に側面図として示す本発明の一実施形態である折り畳みテーブルは、左右１組の脚台(１)の後部寄りの中間部に斜めに立設した角管状の脚杆(２)を備え、この脚杆(２)の頂部に、天板(３)を支持するブラケット(４)が枢軸(５)により枢支されている。
ブラケット(４)の後部（図１及び図２の左側）には、幕板(６)の上端部が、枢軸(７)により枢着されており、幕板(６)の他端は、リンク杆(８)の一端に枢着されている。リンク杆(８)の他端は、脚杆(２)に枢着されている。
【００１１】
図１に示す使用状態においては、天板(３)は水平位置にあり、幕板(６)は、ほぼ垂直の姿勢にあって、天板(３)の後端よりやや前方寄りの部分の下方を覆うことにより、テーブルの下を人の視線から隠している。操作ボタン(９)を押してロック（図示略）を解除すれば、図２に示すように、天板(３)及び幕板(６)は、垂直に近い姿勢まで回動し、脚杆(２)に接近するに至る。これが折り畳み状態である。
【００１２】
上述の構成が従来の幕板付き折り畳みテーブルの構成であるが、本発明の折り畳みテーブルでは、天板(３)の後上方を遮る目隠し板(10)が、幕板(６)とは別に設けられている。
図１に示すように、目隠し板(10)の前面両側下部には、上下方向を向くレール(11)が取り付けられており、レール(11)の上端に設けた左右方向を向く軸(12)は、天板(３)の後端部に取り付けた上部支持金具(13)の後端部に枢支されており、また、目隠し板(10)のレール(11)には、幕板(６)の上部後面に取り付けられた下部支持金具(14)の後方に延びる部分が摺動可能に嵌合させられているので、目隠し板(10)は、図１に示す使用位置から図２に示す折り畳み位置まで、天板(３)及び幕板(６)に連動して回動できる。
【００１３】
この目隠し板(10)の取り付け構造を、図３〜図８に示す既存の幕板付きテーブルへの適用例について以下に詳述する。
【００１４】
図３及び図７には、幕板(６)に取り付ける下部支持金具(14)が示されている。下部支持金具(14)は、倒立Ｕ字形をなす幕板取付部(15)と、幕板取付部(15)のＵ字の腕の一方の下端から直角に折れ曲がり外方に延びる支持杆(16)と、支持杆(16)の外端に水平軸(17)をもって回転可能に取り付けられたローラ(18)とを備えている。
【００１５】
図４及び図５には、天板(３)の裏面に取り付ける上部支持金具(13)が示されている。上部支持金具(13)は、天板(３)の下面に当接される、前後方向を向く、天板取付部(19)を有している。この例では、鋼板を浅い上向きコ字状に折り曲げ、その短寸の左右１対の上向きの起立片の上端が天板(３)の下面に当接するようにされている。上部支持金具(13)後端部には、天板取付部(19)の両起立部に引き続いて上方に突出して、上方に開いた凹部(20a)を形成する受け部(20)が形成されている。
【００１６】
図５及び図７に示すように、目隠し板(10)の前面両側部に配設された左右のレール(21)は、連結杆(26)に溶接されて互いに連結されており、連結杆(26)を目隠し板(10)にねじ止めすることにより、目隠し板(10)に固着されている。レール(21)は、前述の下部支持金具(14)のローラ(18)を収容してこれを摺動させるもので、鋼板の一側部を平面視コ字状に折り曲げてローラ収容部(22)を形成し、このローラ収容部(22)に対向する側片(23)とローラ収容部(22)との間には、下部支持金具(14)の支持杆(16)を通すための間隙(24)が形成されている。レール(21)の上端部には、前方に突出する左右１対の突部(25)が形成されており、この両突部(25)間に、水平軸(12)が取り付けられている。
【００１７】
既存の幕板付き折り畳みテーブルへの目隠し板(10)の取り付けに当たっては、まず図３に示すように、下部支持金具(14)を、その倒立Ｕ字形の幕板取付部(15)が水平となる姿勢で、矢印で示すように幕板(６)の上端部と天板(３)の後端部との間に進入させ、次いで、９０度回動させて、幕板(６)の上端部にＵ字形の幕板取付部(15)を跨嵌する。この位置で、ねじ(27)により下部支持金具(14)を幕板(６)に固定する。なお、ねじ(27)が螺合する穴は、予め幕板(６)の左右両端部の所定位置に穿設しておく。
【００１８】
他方、天板(３)の下面の左右両側部には、図４に示すように、上部支持金具(13)が取り付けられる。すなわち、上部支持金具(13)の天板取付部(19)を天板(３)の下面の左右両端部に当接させ、受け部(20)は天板(３)の後端から後方に突出させて位置せしめ、２個のねじ(28)により上部支持金具(13)を天板(３)に固定する。なお、ねじ(28)が螺合するねじ孔は、予め天板(３)の左右両端部の所定位置に穿設しておくとよい。
【００１９】
最後に、図５及び図７に示すように、レール(21)を取り付けてある目隠し板(10)を、上方から垂直に降下させ、そのレール(21)のローラ収容部(22)に幕板(６)に装着した下部支持金具(14)のローラ(18)を嵌め込み、レール(21)の上端の水平軸(12)が天板(３)の上部支持金具(13)の受け部(20)の凹部(20a)に枢動可能に受けられるようにする。レール(21)のローラ収容部(22)内にローラ(18)が摺動可能に収容された状態が図８の断面図に示され、また、天板(３)、幕板(６)、目隠し板(10)を回動途中の位置において、上下部支持金具(13)(14)及びレール(21)の関係を図６に示している。水平軸(12)が受け部(20)内で枢動し、ローラ(18)がレール(21)内で摺動することがわかる。
【００２０】
目隠し板(10)が不要となれば、テーブル使用位置において、これを上方に引き抜くことにより容易に取り外すことができる。この場合、上下部支持金具(13)(14)は残るが、これらもない方がよければ、ねじ(27)(28)を回すことによりこれらも取り外すことができる。
【００２１】
【発明の効果】
請求項１記載の発明のような構成とすれば、幕板と別体に設けた目隠し板をも連動して、折り畳み可能とすることができる。
【００２２】
請求項２記載の発明のような構成とすれば、リンク長を正確に定めることなく、目隠し板と幕板とのリンク機構を簡単に形成することができる。
【００２３】
請求項３記載の発明のような構成とすれば、レールとローラとの摺動関係により、目隠し板と幕板とのリンク機構を簡単に形成することができる。
【００２４】
請求項４記載の発明のような構成とすれば、上下部支持金具の使用により、目隠し板を簡単に取付けることができる。
【００２５】
請求項５記載の発明のような構成とすれば、幕板付き折り畳みテーブルに目隠し板を後付けすることにより、目隠し板付きの折り畳みテーブルを低コストで提供することができる。
【図面の簡単な説明】
【図１】本発明の折り畳みテーブルの一実施形態の使用位置を示す側面図である。
【図２】図１に示した折り畳みテーブルを折り畳み状態で示す側面図である。
【図３】幕板付き折り畳みテーブルの幕板に、目隠し板取付用の下部支持金具を取り付ける状況を説明するテーブル左端部付近の斜視図である。
【図４】幕板付き折り畳みテーブルの天板に、目隠し板取付用の上部支持金具を取り付ける状況を説明するテーブル左端部付近の斜視図である。
【図５】図３及び図４に示す折り畳みテーブルに目隠し板を取り付ける状況を説明するテーブル左端部付近の斜視図である。
【図６】目隠し板を取り付けた幕板付き折り畳みテーブルを、折り畳み途中の状態において示す拡大部分側面図である。
【図７】目隠し板のレールと幕板の下部支持金具との関係を説明する拡大斜視図である。
【図８】目隠し板のレールに幕板の下部支持金具のローラが嵌合している状態を示す拡大横断平面図である。
【符号の説明】
(１)脚台
(２)脚杆
(３)天板
(４)ブラケット
(５)枢軸
(６)幕板
(７)枢軸
(８)リンク杆
(９)操作ボタン
(10)目隠し板
(11)レール
(12)水平軸
(13)上部支持金具
(14)下部支持金具
(15)幕板取付部
(16)支持杆
(17)水平軸
(18)ローラ
(19)天板取付部
(20)受け部
(20a)凹部
(21)レール
(22)ローラ収容部
(23)側片
(24)間隙
(25)突部
(26)連結杆
(27)ねじ
(28)ねじ
【図１】
0003958574.tif 000002
【図２】
0003958574.tif 000003
【図３】
0003958574.tif 000004
【図４】
0003958574.tif 000005
【図５】
0003958574.tif 000006
【図６】
0003958574.tif 000007
【図７】
0003958574.tif 000008
【図８】
0003958574.tif 000009